(57)【特許請求の範囲】
【請求項１】
モータによって揚送筒本体の上下に回転自在に軸支される上部ローラ及び下部ローラ間を周回せしめられる搬送ベルトによってパチンコ玉を揚送する玉揚送装置において、
前記上部ローラは、前記揚送筒本体に対して上下方向に摺動可能な上部ローラ可変機構によって軸支される一方、
前記搬送ベルトに張力を付与するために該搬送ベルトを交互に掛け渡す複数のテンションローラからなるテンションローラ機構のうち、上下のテンションローラを前記揚送筒本体に固定される固定アームに支持し、その上下のテンションローラの間に位置する１つのテンションローラを支持するアームを前記揚送筒本体に固定される固定アームと該固定アームに対して折曲した状態と同一方向に延設した状態とに保持され且つテンションローラを軸支する補助アームとから構成したことを特徴とする玉揚送装置。
【請求項２】
前記上部ローラ可変機構は、前記揚送筒本体の両側面に設けられて該揚送筒本体に対して上下方向に摺動可能であり且つ前記上部ローラを回転自在に軸支する上下摺動金具と、該上下摺動金具の下部に当接し且つ前記揚送筒本体の両側面に突出するように連結軸を介して一体的に支持される偏心カムと、から構成されていることを特徴とする請求項１記載の玉揚送装置。
【発明の詳細な説明】
【０００１】
【発明の属する技術分野】
本発明は、モータによって揚送筒本体の上下に回転自在に軸支される上部ローラ及び下部ローラ間を周回せしめられる搬送ベルトによってパチンコ玉を揚送する玉揚送装置に関するものである。
【０００２】
【従来の技術】
従来、図８に示すように、モータ１２によって揚送筒本体３の上下に回転自在に軸支される上部ローラ５及び下部ローラ４間を周回せしめられる搬送ベルト６によってパチンコ玉を揚送する玉揚送装置１においては、搬送ベルト６に張力を付与するために搬送ベルト６が交互に掛け渡される複数のテンションローラ５１，５２，５３からなるテンションローラ機構５０が設けられていた。しかして、搬送ベルト６を交換する場合には、取り外す際に邪魔となる第一テンションローラ５１と第三テンションローラ５３とを固定しているナットを弛めて第一，第三テンションローラ５１，５３を取り外して行っていた。この際、搬送ベルト６に極めて大きな張力がかかっているので、スプリングによって常時付勢されている第二テンションローラ５２をスプリングの付勢力に抗して押えながらスパナ等の工具でナットの弛め作業を行い且つ第一，第三テンションローラ５１，５３の取り外し作業を行っていた。
【０００３】
【発明が解決しようとする課題】
このため、搬送ベルト６の交換時に、極めて労力を要する作業を行う必要があるばかりでなく、仮に、途中で第二テンションローラ５２の押え作業を弛めると、ナットを弛めた第一，第三テンションローラ５１，５３がはね飛ばされて作業員が怪我をするという欠点があった。本発明は、上記した事情に鑑みなされたもので、その目的とするところは、パチンコ玉を揚送する搬送ベルトの交換作業を極めて簡単に行うことができると共に、作業の安全性を確保することができる玉揚送装置を提供することにある。
【０００４】
【課題を解決するための手段】
上記した目的を達成するために、本発明においては、図３乃至図６に示すように、モータ１２によって揚送筒本体３の上下に回転自在に軸支される上部ローラ５及び下部ローラ４間を周回せしめられる搬送ベルト６によってパチンコ玉を揚送する玉揚送装置１において、上部ローラ５は、揚送筒本体３に対して上下方向に摺動可能な上部ローラ可変機構３０によって軸支される一方、搬送ベルト６に張力を付与するために該搬送ベルト６を交互に掛け渡す複数のテンションローラ５１，５２，５３からなるテンションローラ機構５０のうち、上下のテンションローラ５１，５３を揚送筒本体３に固定される固定アーム５４，５６に支持し、その上下のテンションローラ５１，５３の間に位置する１つのテンションローラ５２を支持するアームを揚送筒本体３に固定される固定アーム５５と該固定アーム５５に対して折曲した状態と同一方向に延設した状態とに保持され且つテンションローラ５２を軸支する補助アーム５７とから構成することにより、搬送ベルト６の交換作業を開始するに当って、まず、上部ローラ可変機構３０によって上部ローラ５を最も下方に位置させることにより、搬送ベルト６を若干弛め、その後、補助アーム５７を折曲した状態とすることにより、搬送ベルト６を完全に弛めた状態とすることができる。その弛めた状態で張力のかかっていない第一，第三テンションローラ５１，５３のナットを弛めて第一，第三テンションローラ５１，５３を外して搬送ベルト６を取り外すことができる。逆に、新規の搬送ベルト６を取り付ける際には、新規の搬送ベルト６を上部ローラ５と下部ローラ４間に掛け渡し、その後、第一，第三テンションローラ５１，５３のナットを締め付けて各固定アーム５４，５６に取り付け、補助アーム５７を延設した状態とした後に、上部ローラ可変機構３０を上方に変移させることにより、新規の搬送ベルト６を装着することができる。
【０００５】
また、図３及び図４に示すように、前記上部ローラ可変機構３０は、揚送筒本体３の両側面に設けられて該揚送筒本体３に対して上下方向に摺動可能であり且つ上部ローラ５を回転自在に軸支する上下摺動金具３１と、該上下摺動金具３１の下部に当接し且つ揚送筒本体３の両側面に突出するように連結軸としての連結操作ボルト軸３４を介して一体的に支持される偏心カム３５と、から構成することにより、連結操作ボルト軸３４を回転操作して偏心カム３５を回転させることにより、簡単に上部ローラ５を上下方向に移動させることができ、搬送ベルト６の取り外し作業の際の下方への移行、搬送ベルト６の取付の際の上方への移行を簡単に行うことができる。
【０００６】
【発明の実施の形態】
以下、図面を参照して本発明の実施形態について説明する。まず、本実施形態の要部を構成する玉揚送装置１の全体の構成について図１及び図２を参照して説明する。図１は、玉揚送装置１を後方から見た斜視図であり、図２は、玉揚送装置１の側面図である。図において、玉揚送装置１は、支持台２の上部に揚送筒本体３が垂直状に立設され、揚送筒本体３の周囲を下部に支持される下部ローラ４と上部ローラ５との間に掛け渡される革製の搬送ベルト６が周回するようになっている。この搬送ベルト６の周回駆動は、支持台２に連結固定されるモータ取付台１１に固定されるモータ１２の出力軸に固着される小径プーリ１３と下部ローラ４の回転軸に固着される大径プーリ１４とが駆動ベルトとしてのＶベルト１５によって連結されることによって行われる。また、搬送ベルト６に張力を付与するために複数のテンションローラ５１，５２，５３からなるテンションローラ機構５０が下部ローラ４の上部の揚送筒本体３に取り付けられている。そして、揚送筒本体３の下部には、玉磨き前のパチンコ玉が流入して複数列に整列せしめられる導入樋７が接続され、揚送筒本体３の上部には、玉磨き後のパチンコ玉が排出される上部屈曲樋９及び該上部屈曲樋９に連結される排出樋１０が接続されている。なお、上部屈曲樋９は、上部ローラ５を軸支する後述する上部ローラ可変機構３０に取り付けられている。
【０００７】
しかして、導入樋７から流入したパチンコ玉は、搬送ベルト６によって揚送され、排出樋１０から排出されるが、その揚送される過程で後述するガイドレールカバー１６に周設される布ベルトとの摩擦力によってパチンコ玉に付着した汚れが拭き取られ、排出樋１０からは、奇麗にされたパチンコ玉が排出されることになる。なお、導入樋７には、図２に示すように、導入樋７の傾斜角を調整する傾斜角調整ボルト８が設けられている。この傾斜角調整ボルト８には、スプリングが周設されており、内部を流れる玉によって導入樋７に無理な力が加わったときでも玉がスムーズに整列されるような構造となっている。
【０００８】
一方、前記した揚送筒本体３の背面側には、ガイドレールカバー１６が着脱自在に取り付けられるようになっている。このガイドレールカバー１６は、前記搬送ベルト６や布ベルトを玉揚送装置１に装着する際に取り外されるものであると共に、布ベルト自体がガイドレールカバー１６を周回するように装着される。そして、搬送ベルト６や布ベルトが装着された時には、止め金具２１によってガイドレールカバー１６を揚送筒本体３に対面させた状態に維持される。ただし、揚送筒本体３とガイドレールカバー１６との間には、隙間が形成されることとなるが、この隙間は、止め金具２１の固着位置を調節することによってその寸法を設定することができ、その設定値に応じて揚送されるパチンコ玉への圧力を変化させることができる。また、ガイドレールカバー１６には、その背面に使用前のロール状布ベルトを装着する使用前布ベルト装着部１７と使用済の布ベルトをロール状に巻き取るための使用済布ベルト装着部１８とが設けられ、その上端後部に布ベルトを案内するためのローラ１９が設けられている。
【０００９】
しかして、使用前布ベルト装着部１７に装着された布ベルトは、ガイドレールカバー１６の下端から前面を通ってローラ１９に掛け渡され、その後、使用済布ベルト装着部１８に巻き付けられる。そして、そのように布ベルトを装着した状態で止め金具２１でガイドレールカバー１６を揚送筒本体３に装着することにより、布ベルトと搬送ベルト６とを対面させ、搬送ベルト６を周回動作させることによりパチンコ玉がガイドレールカバー１６の前面に形成される複数の玉通路に嵌り込みながら布ベルトに汚れをふき取られながら上昇するものである。なお、営業終了時には、使用前布ベルト装着部１７に設けられるチャッキング装置を弛めて布ベルトが移動し得るようにした状態で、裏面上部の布ベルトを引っ張って未使用面をガイドレールカバー１６の前面側に位置させるようにし、その引っ張って余った布ベルトを使用済布ベルト装着部１８を巻き付け、前記チャッキング装置を締め付ける。これによって、翌日の研磨に対する準備が終了する。また、この布ベルトの巻き取り作業は、ガイドレールカバー１６を揚送筒本体３から取り外した状態で行っても、あるいは取り付けたままの状態でも行うことができるが、新規な布ベルトを交換する場合には、ガイドレールカバー１６を揚送筒本体３から取り外す必要がある。
【００１０】
また、上記した玉揚送装置１の揚送筒本体３とガイドレールカバー１６とは、揚送筒本体３の両側面の複数箇所に止着されている止め金具２１によって取り付けられるが、その止め金具２１は、ガイドレールカバー１６の側面から突設される係合突起２０を支持し係合するものであり、揚送筒本体３の両側面の複数箇所に設けられる止め金具２１が連結杆２２で連結され、該連結杆２２を下方に移動させた位置で固定するキャッチクリップ２３で係止することにより、止め金具２１と係合突起２０との係合状態を解除し、ガイドレールカバー１６を揚送筒本体３に対して取り外すことができる。逆に、キャッチクリップ２３の係止状態を外すことにより、止め金具２１と係合突起２０とを係合状態にしてガイドレールカバー１６を揚送筒本体３に対して取り付けることができる。
【００１１】
次に、本実施形態の要部を構成する上部ローラ可変機構３０及びテンションローラ機構５０について説明する。まず、上部ローラ可変機構３０について図３及び図４を参照して説明する。図３は、上部ローラ５を最上方位置にしたときの玉揚送装置１の上方部分の側面図であり、図４は、上部ローラ５を最下方位置にしたときの玉揚送装置１の上方部分の側面図である。
【００１２】
図において、上部ローラ可変機構３０は、前記揚送筒本体３の両側面に設けられて該揚送筒本体３に対して上下方向に摺動可能であり且つ上部ローラ５を回転自在に軸支する上下摺動金具３１と、該上下摺動金具３１の下部に当接し且つ前記揚送筒本体３の両側面に突出するように連結軸としての連結操作ボルト軸３４を介して一体的に支持される偏心カム３５と、から構成されている。図示では、揚送筒本体３の一側側面しか示していないが、反対側の側面にも上下摺動金具３１と偏心カム３５とが設けられている。
【００１３】
しかして、上下摺動金具３１には、その中程左右に案内長孔３２が穿設されており、その案内長孔３２を貫通して揚送筒本体３の側面を貫通して反対側の上下摺動金具３１の案内長孔３２に貫通する連結固定ボルト３３が取り付けられている。また、上下摺動金具３１の上部には、一対の挟持板３６が図の前後方向に立設され、該挟持板３６内に上部ローラ５の回転軸３８を軸受する軸受部材３７が収納設置されている。挟持板３６内に収納設置される軸受部材３７は、上下摺動金具３１の上部中央に突設されるボルト保持部材４０に螺合貫通される微調節ボルト３９に当接して該微調節ボルト３９によって上下方向に微少移動するようになっている。この微調節ボルト３９による調節は、長期間の使用によって搬送ベルト６等が延びたときに搬送ベルト６の使用時における揚送能力を調節するためのものである。また、上下摺動金具３１には、図３に示すように、延設板３１ａが立設され、該延設板３１ａの基部に嵌め込み凹部３１ｂが形成されて、前記上部屈曲樋９の下部に形成される嵌め込みト凸部（図示しない）と係合して上部屈曲樋９が上下摺動金具３１に着脱自在に取り付けられるようになっている。なお、嵌め込み凹部３１ｂに代えて延設板３１ａに止め穴３１ｃを設け、該止め穴３１ｃにボルト９ａ（図７参照）を螺着することにより、上部屈曲樋９を上下摺動金具３１に取り付けるようにしても良い。
【００１４】
一方、上下摺動金具３１の下辺に当接する偏心カム３５は、前記揚送筒本体３の両側面に突出するように連結軸としての連結操作ボルト軸３４を介して一体的に支持されている。つまり、揚送筒本体３の両側面の偏心カム３５が１本の連結操作ボルト軸３４によって連結されている。したがって、一方の側面に現れている連結操作ボルト軸３４の六角頭部をスパナ等の工具で回転せしめることにより、揚送筒本体３の両側面の偏心カム３５を同時に且つ同期して回転せしめることができる。
【００１５】
上部ローラ可変機構３０の構成は、概ね上記した通りであるが、このように構成される上部ローラ可変機構３０においては、連結操作ボルト軸３４を回転操作して偏心カム３５を回転させることにより、上下摺動金具３１を偏心カム３５の偏心度に応じて簡単に且つ少ない力で案内長孔３２及び連結固定ボルト３３に沿って上下動することができるため、上下摺動金具３１に載置支持されている上部ローラ５も簡単に上下方向に移動させることができる。
【００１６】
即ち、搬送ベルト６の取り外し作業の際には、図３に示す状態において、まず、連結固定ボルト３３を弛めた後、連結操作ボルト軸３４をいずれかの方向に１８０度回動せしめて図４に示す状態とすることにより、上部ローラ５を下方へ移行させることができ、その状態で搬送ベルト６の張力を弱めることができて後述するテンションローラ機構５０における第二テンションローラ５２の折曲状態への操作を簡単に且つ安全に行うことができる。ただし、上部ローラ５の下方への移行に際しては、上部屈曲樋９及び排出樋１０も上下摺動金具３１と一緒に下方へ移動するので、前記ガイドレールカバー１６を取り外して又は開放してその操作を行うことが望ましい。
【００１７】
一方、新規の搬送ベルト６が装着されたときには、図４に示す状態において、まず、連結操作ボルト軸３４をいずれかの方向に１８０度（必ずしも１８０度でなくても十分な張力を付与できるまで回動すれば良い）回動せしめて図３に示す状態とし、その後、連結固定ボルト３３を締着して上部ローラ５を上方へ移行させることができ、その状態で搬送ベルト６に張力を与えて実際の使用に供することができる。なお、図示の実施形態における偏心カム３５による移動量は、最大１５ｍｍに設定されている。
【００１８】
そして、図示の実施例では、連結固定ボルト３３及び連結操作ボルト軸３４が揚送筒本体３を貫通しているので、一側面の連結固定ボルト３３及び連結操作ボルト軸３４だけを操作して他側のそれらを操作しなくても済むので、玉揚送装置１をパチンコ島台へ収納した状態のままで揚送筒本体３の一方の側面の連結固定ボルト３３及び連結操作ボルト軸３４を操作するだけで上部ローラ５の上下動操作を行うことができる。
【００１９】
なお、図３に示す実施形態における上下摺動金具３１の上下動作の案内は、左右一対の案内長孔３２と連結固定ボルト３３によって行っているが、図７に示すように、上下摺動金具３１の中央に１つの案内長孔３２を形成してそれに対応する連結固定ボルト３３で固定し、上下摺動金具３１の上下の案内は、揚送筒本体３の側面に突設されるガイド突片４１によって行わせるようにしても良い。また、偏心カム３５の形状として、ほぼ円形であり、最大偏心度の位置に対応する部分が水平状に切り欠けられているが、これを全周円状に形成しても良いし、正多角形（例えば、正六角形、正八角形、正十二角形等）に形成しても良い。
【００２０】
次に、テンションローラ機構５０について図５及び図６を参照して説明する。図５は、搬送ベルト６に張力を付与した状態の玉揚送装置１の下方部分の側面図であり、図６は、搬送ベルト６に張力を付与しない状態の玉揚送装置１の下方部分の側面図である。図において、テンションローラ機構５０は、前記揚送筒本体３に適宜間隔をもって固定される固定アーム５４，５５，５６の先端に回転自在に軸支される複数のテンションローラ５１，５２，５３によって構成されるものである。そして、３つのテンションローラ５１，５２，５３のうち、上下２つの第一，第三テンションローラ５１，５３の内側を搬送ベルト６が通され、中央の第二テンションローラ５２の外側を搬送ベルト６が通されて、全体として交互に掛け渡された状態となるようになっている。
【００２１】
しかして、搬送ベルト６を取り外すには、上下の第一，第三テンションローラ５１，５３をそれぞれの固定アーム５４，５６から取り外す必要があるが、前記上部ローラ可変機構３０によって搬送ベルト６の張力を弛めても、未だ若干の張力があるので、第一，第三テンションローラ５１，５３を取り外す瞬間に張力によって先に弛めた第一又は第三テンションローラ５１，５３がはね飛ばされる場合がある。これを防止するために、本実施形態においては、第二テンションローラ５２を支持するアームを前記揚送筒本体３に固定される固定アーム５５と該固定アーム５５に対して折曲した状態と同一方向に延設した状態とに保持され且つ第二テンションローラ５２を軸支する補助アーム５７とから構成している。
【００２２】
この補助アーム５７の折曲状態と延設状態とに変更する構成について説明すると、固定アーム５５には、水平方向に一対の横長穴５９ａ，５９ｂが穿設され、一方、補助アーム５７には、その後端上辺に係合突片５８が突設されると共に前記横長穴５９ａ，５９ｂを貫通する保持ボルト６１及び支点ボルト６０が止着される止め穴６２（ただし、横長穴５９ｂを貫通する支点ボルト６０は、止着されたままの状態で外されることがないためそれに対応する止め穴に符号を付していない）が形成されている。
【００２３】
上記のように構成されるテンションローラ機構５０においては、前述した上部ローラ可変機構３０による搬送ベルト６の弛み状態がなされているという前提の元で、保持ボルト６１を弛めて取り外すことにより、補助アーム５７を図６に示すように支点ボルト６０を中心として下方に向けて折曲した状態として、搬送ベルト６を完全に弛めた状態とすることができる。この際、上部ローラ可変機構３０による搬送ベルト６の弛め状態によって保持ボルト６１の弛め作業がスムーズに行われると共に、保持ボルト６１を弛めた瞬間の補助アーム５７の折れ曲がり動作が急激に行われることを防止している。そして、その弛めた状態で張力のかかっていない第一，第三テンションローラ５１，５３のナットを弛めて第一，第三テンションローラ５１，５３を固定アーム５４，５６から外して搬送ベルト６を取り外すことができる。逆に、新規の搬送ベルト６を取り付ける際には、新規の搬送ベルト６を上部ローラ５と下部ローラ４間に掛け渡し、その後、第一，第三テンションローラ５１，５３のナットを締め付けて各固定アーム５４，５６に取り付け、補助アーム５７を係合突片５８が固定アーム５５の上辺と当接するまで延設した状態とした後、横長穴５９ａに臨む止め穴６２に保持ボルト６１を螺着することにより、テンションローラ機構５０による搬送ベルト６への張力を与えることができる。
【００２４】
以上、実施形態に係る玉揚送装置の構成及び作用について説明してきたが、本実施形態によれば、モータ１２によって揚送筒本体３の上下に回転自在に軸支される上部ローラ５及び下部ローラ４間を周回せしめられる搬送ベルト６によってパチンコ玉を揚送する玉揚送装置１において、上部ローラ５は、揚送筒本体３に対して上下方向に摺動可能な上部ローラ可変機構３０によって軸支される一方、搬送ベルト６に張力を付与するために該搬送ベルト６を交互に掛け渡す複数のテンションローラ５１，５２，５３からなるテンションローラ機構５０のうち、上下のテンションローラ５１，５３を揚送筒本体３に固定される固定アーム５４，５６に支持し、その上下のテンションローラ５１，５３の間に位置する１つのテンションローラ５２を支持するアームを揚送筒本体３に固定される固定アーム５５と該固定アーム５５に対して折曲した状態と同一方向に延設した状態とに保持され且つテンションローラ５２を軸支する補助アーム５７とから構成することにより、搬送ベルト６の交換作業を開始するに当って、まず、上部ローラ可変機構３０によって上部ローラ５を最も下方に位置させることにより、搬送ベルト６を若干弛め、その後、補助アーム５７を折曲した状態とすることにより、搬送ベルト６を完全に弛めた状態とすることができる。その弛めた状態で張力のかかっていない第一，第三テンションローラ５１，５３のナットを弛めて第一，第三テンションローラ５１，５３を外して搬送ベルト６を取り外すことができる。逆に、新規の搬送ベルト６を取り付ける際には、新規の搬送ベルト６を上部ローラ５と下部ローラ４間に掛け渡し、その後、第一，第三テンションローラ５１，５３のナットを締め付けて各固定アーム５４，５６に取り付け、補助アーム５７を延設した状態とした後に、上部ローラ可変機構３０を上方に変移させることにより、新規の搬送ベルト６を装着することができる。
【００２５】
また、前記上部ローラ可変機構３０は、揚送筒本体３の両側面に設けられて該揚送筒本体３に対して上下方向に摺動可能であり且つ上部ローラ５を回転自在に軸支する上下摺動金具３１と、該上下摺動金具３１の下部に当接し且つ揚送筒本体３の両側面に突出するように連結軸としての連結操作ボルト軸３４を介して一体的に支持される偏心カム３５と、から構成することにより、連結操作ボルト軸３４を回転操作して偏心カム３５を回転させることにより、簡単に上部ローラ５を上下方向に移動させることができ、搬送ベルト６の取り外し作業の際の下方への移行、搬送ベルト６の取付の際の上方への移行を簡単に行うことができる。
【００２６】
なお、上記した実施形態では、第一，第三テンションローラ５１，５３の内側に搬送ベルト６を通し、第二テンションローラ５２の外側に搬送ベルト６を通したものを示したが、逆に、第一，第三テンションローラ５１，５３の外側に搬送ベルト６を通し、第二テンションローラ５２の内側に搬送ベルト６を通すようにしてもよい。この場合には、第一，第三テンションローラ５１，５３を支持する固定アーム５４，５６のいずれか一方又は両方に補助アームを付けて折曲状態とし得るようにすれば良い。
【００２７】
【発明の効果】
以上、説明したところから明らかなように、本発明においては、上部ローラは、揚送筒本体に対して上下方向に摺動可能な上部ローラ可変機構によって軸支される一方、搬送ベルトに張力を付与するために該搬送ベルトを交互に掛け渡す複数のテンションローラからなるテンションローラ機構のうち、上下のテンションローラを前記揚送筒本体に固定される固定アームに支持し、その上下のテンションローラの間に位置する１つのテンションローラを支持するアームを揚送筒本体に固定される固定アームと該固定アームに対して折曲した状態と同一方向に延設した状態とに保持され且つテンションローラを軸支する補助アームとから構成することにより、搬送ベルトの交換作業を開始するに当って、まず、上部ローラ可変機構によって上部ローラを最も下方に位置させることにより、搬送ベルトを若干弛め、その後、補助アームを折曲した状態とすることにより、搬送ベルトを完全に弛めた状態とすることができるため、交換時に搬送ベルトによる張力がいずれのテンションローラにも係らないので、簡単且つ安全に搬送ベルトを取り外すことができ、上記と逆の操作を行うことにより簡単に新規の搬送ベルトを装着することができる。
【００２８】
また、前記上部ローラ可変機構は、揚送筒本体の両側面に設けられて該揚送筒本体に対して上下方向に摺動可能であり且つ上部ローラを回転自在に軸支する上下摺動金具と、該上下摺動金具の下部に当接し且つ揚送筒本体３の両側面に突出するように連結軸を介して一体的に支持される偏心カムと、から構成することにより、連結軸を回転操作して偏心カムを回転させることにより、簡単に上部ローラを上下方向に移動させることができ、搬送ベルトの取り外し作業の際の下方への移行、搬送ベルトの取付の際の上方への移行を簡単に行うことができる。
【図面の簡単な説明】
【図１】  実施形態に係る玉揚送装置を後方から見た斜視図である。
【図２】  玉揚送装置の側面図である。
【図３】  上部ローラ可変機構を最上方位置にしたときの玉揚送装置の上方部分の側面図である。
【図４】  上部ローラ可変機構を最下方位置にしたときの玉揚送装置の上方部分の側面図である。
【図５】  テンションローラ機構によって搬送ベルトに張力を付与した状態の玉揚送装置の下方部分の側面図である。
【図６】  テンションローラ機構によって搬送ベルトに張力を付与しない状態の玉揚送装置の下方部分の側面図である。
【図７】  上部ローラ可変機構の他の実施形態を示す玉揚送装置の上方部分の側面図である。
【図８】  従来の玉揚送装置の側面図である。
【符号の説明】
１  玉揚送装置
３  揚送筒本体
４  下部ローラ
５  上部ローラ
６  搬送ベルト
１２  モータ
３０  上部ローラ可変機構
３１  上下摺動金具
３２  案内長孔
３３  連結固定ボルト
３４  連結操作ボルト軸（連結軸）
３５  偏心カム
３６  挟持板
３７  軸受部材
３８  回転軸
５０  テンションローラ機構
５１  第一テンションローラ
５２  第二テンションローラ
５３  第三テンションローラ
５４  固定アーム
５５  固定アーム
５６  固定アーム
５７  補助アーム
５８  係合突片
５９ａ，５９ｂ  横長穴
６０  支点ボルト
６１  保持ボルト
６２  止め穴
【図１】
0003867813.tif 000002
【図２】
0003867813.tif 000003
【図３】
0003867813.tif 000004
【図４】
0003867813.tif 000005
【図５】
0003867813.tif 000006
【図６】
0003867813.tif 000007
【図７】
0003867813.tif 000008
【図８】
0003867813.tif 000009